(57)【要約】【目的】  表裏兼用にして蒸れによる不快感がなく安眠する事のできる寝心地の良好なマットレスを提供する。【構成】  マット本体２を外カバー３で包んだマットレス１である。マット本体２は内カバー５で板状のクッション材４を包んで成り、そのクッション材４はそれぞれ片面を凹凸面とする３つの柔軟性弾性体４Ａ，４Ｂ，４Ｃを積層して構成される。中間の柔軟性弾性体４Ｂはその凹凸面を上層の柔軟性弾性体４Ａに対向させて通気空間７を形成し、中間の柔軟性弾性体４Ｂを挟む上下一対の柔軟性弾性体４Ａ，４Ｃはその凹凸面を外側に向けて積層される。又、外カバー３は遠赤外線を放射する鉱物の粉末を含有せしめた温熱シート８を備え、その温熱シート８が凹凸面を成すクッション材４の片側表面上に設けられる。【選択図】図５
0003101719.tif 000002
【実用新案登録請求の範囲】
【請求項１】
マット本体を外カバーで包んだマットレスにおいて、前記マット本体は表面と裏面との間に通気空間を形成する板状のクッション材を有すると共に、該クッション材は少なくともその表面が凹凸面とされていることを特徴とするマットレス。
【請求項２】
マット本体を外カバーで包んだマットレスにおいて、前記マット本体は内カバーで板状のクッション材を包んで成り、そのクッション材はそれぞれ片面を凹凸面とする３つの柔軟性弾性体を積層して構成され、このうち中間の柔軟性弾性体はその凹凸面を上下何れかの柔軟性弾性体に対向させて通気空間を形成し、中間の柔軟性弾性体を挟む上下一対の柔軟性弾性体はその凹凸面を外側に向けて積層されることを特徴とするマットレス。
【請求項３】
外カバーは遠赤外線を放射する鉱物の粉末を含有せしめた温熱シートを備え、その温熱シートが凹凸面を成すクッション材の片側表面上に設けられることを特徴とする請求項１、又は２記載のマットレス。
【考案の詳細な説明】
【技術分野】
【０００１】
本考案は、寝心地が良く安眠を得られるマットレスに係わり、特に必要に応じて表裏逆向きにして使用できる両面兼用のマットレスに関する。
【背景技術】
【０００２】
一般に、寝具用の敷布団として綿を布地で包んだもののほか、中芯にウレタンフォームなどの弾力性を有する板状のクッション材を用いたマットレスが良く知られる。特に、マットレスに用いられるクッション材として、縦横に連なる円錐状の突起を片側全面に一体成形したものが知られる。そして、その種のクッション材を用いたマットレスによれば、その上に横臥した就寝者の身体が突起の各頂点で支えられるために通気性が良く、寝たきりの病人などでも床擦れしないとして従来より賞用されてきた。
【０００３】
しかし、従来のマットレスは好適な弾力性を有して良好な寝心地を得られるものの、保温効果は意外に小さく、冷え性の人などは電気毛布や湯たんぽを欠かせず、夏場などには逆に蒸れて寝苦しいという欠点があった。又、突起群を形成するクッション材を用いたものでも、以上のような難点を解消するには至っておらず、しかも突起群はクッション材の片側表面のみに形成されるので、使用に際して表裏を確認する必要があり、表裏逆向きにして使用した場合には突起の機能が全く発揮されないという問題があった。
【０００４】
そこで、本願出願人は先に表裏両面を凹凸面としたクッション材を主要構成材とするマットレス（就寝用マット）を開発し、係るマットレスを実用に供してきた（特許文献１）。
【０００５】
【特許文献１】登録実用新案第３０８５８７１号公報
【考案の開示】
【考案が解決しようとする課題】
【０００６】
然し乍ら、特許文献１のマットレスでも十分な通気性が得られず、夏場などにおいては就寝者の発汗により寝床が蒸れるという欠点を有した。
【０００７】
本考案は以上のような事情に鑑みて成されたものであり、その目的は就寝時の蒸れによる不快感を軽減して安眠することのできる表裏兼用のマットレスを提供することにある。
【課題を解決するための手段】
【０００８】
本考案は上記目的を達成するため、マット本体を外カバーで包んだマットレスにおいて、前記マット本体は表面と裏面との間に通気空間を形成する板状のクッション材を有すると共に、該クッション材は少なくともその表面が凹凸面とされていることを特徴とする。
【０００９】
又、マット本体を外カバーで包んだマットレスにおいて、前記マット本体は内カバーで板状のクッション材を包んで成り、そのクッション材はそれぞれ片面を凹凸面とする３つの柔軟性弾性体を積層して構成され、このうち中間の柔軟性弾性体はその凹凸面を上下何れかの柔軟性弾性体に対向させて通気空間を形成し、中間の柔軟性弾性体を挟む上下一対の柔軟性弾性体はその凹凸面を外側に向けて積層されることを特徴とする。
【００１０】
更に、上記のようなマットレスにおいて、外カバーは遠赤外線を放射する鉱物の粉末を含有せしめた温熱シートを備え、その温熱シートが凹凸面を成すクッション材の片側表面上に設けられることを特徴とする。
【考案の効果】
【００１１】
本考案によればクッション材の表面が凹凸面とされ、しかも表面と裏面との間に通気空間が形成されることから、表面を上向きにして夏場でも蒸れ難く安眠することができる。
【００１２】
特に、片面が凹凸面とされる３つの柔軟性弾性体を積層して、クッション材の表面と裏面との間に通気空間を形成しながら、その表裏両面を凹凸面としていることから、表裏何れの面を上向きにして使用しても快い寝心地が得られる。
【００１３】
又、クッション材の表面上には遠赤外線を放射する鉱物粉末を含有せしめた温熱シートが設けられることから、その温熱シートから放射される遠赤外線の働きにより冬期などの低温時にも寒気を感じず安眠でき、夏期などの高温時には温熱シートを下にして暑苦しさを感じず安眠できる。
【考案を実施するための最良の形態】
【００１４】
以下、本考案の適用例を図面に基づいて詳細に説明する。図１及び図２は係るマットレスの好適な態様を示した斜視外観図であり、図１は展開した状態、図２は折り畳んだ状態を示す。これらの図から明らかなように、本考案に係るマットレス１は、折筋Ｌを介して直列状に連なる３つの領域Ａ，Ｂ，Ｃに等分され、使用時には図１のように偏平状に展開し、非使用時には図２のように各領域Ａ，Ｂ，Ｃを重ね合わせて押し入れなどに収納できるようにしてある。
【００１５】
尚、本考案は折畳式であることを要件とするものでなく、その内部構造が特徴的なものであって、これを折り畳み不能な一枚ものにしたり、二つ折り又は四つ折りタイプにしても良い。因に、その大きさは例えばシングル用で970×1980×10cm、セミダブル用で1200×1980×10cm、ダブル用で1400×1980×10cmに設定される。
【００１６】
図３は係るマットレスの縦断面を示す概略図である。この図で明らかなように、係るマットレス１はマット本体２を純綿などで成る袋状の外カバー３で包んで構成される。
【００１７】
図４は係るマット本体の断面を示す。図４から明らかなように、マット本体２は弾力性を有する板状のクッション材４を主要な構成材とし、そのクッション材４を純綿などで成る袋状の内カバー５で包んで構成される。特に、クッション材４は発泡樹脂（本例においてウレタンフォーム）から成る３つの柔軟性弾性体４Ａ，４Ｂ，４Ｃを積層して構成される。
【００１８】
図５から明らかなように、各柔軟性弾性体４Ａ〜４Ｃは片面が円錐状の突起６を縦横に連ねた凹凸面とされる。本例において、上下一対の柔軟性弾性体４Ａ，４Ｃは凹凸面を外側にして積層され、その間に挟まれる中間の柔軟性弾性体４Ｂはその凹凸面を上層の柔軟性弾性体４Ａに対向させて該柔軟性弾性体４Ａとの間に通気空間７を形成する。
【００１９】
尚、中間の柔軟性弾性体４Ｂと下層の柔軟性弾性体４Ｃは凹凸面を外側にして背中合わせに接着されるが、これを接着せず単に重ね合わせたり、それら柔軟性弾性体４Ｂ，４Ｃを一体に成型してもよい。又、各柔軟性弾性体４Ａ〜４Ｃの積層形式として、柔軟性弾性体４Ａ，４Ｂを互いに凹凸面を外側にして積層し、柔軟性弾性体４Ｂ，４Ｃの突起６を突き合わせたり、各柔軟性弾性体４Ａ〜４Ｃの凹凸面と非凹凸面とを突き合わせるなどしてもよい。
【００２０】
又、図５において、３Ａは外カバーを構成する表生地、３Ｂは同裏生地であり、表生地３Ａの裏側には綿などから成る中生地３Ｃとの間に温熱シート８が挟み込まれる。尚、温熱シート８はマット本体２の構成材として内カバー５の内部に設けても良いが、本例では係る温熱シート８がクッション材４（柔軟性弾性体４Ａ）の表面上に内カバー５と外カバーの中生地３Ｃとを介して３枚重ねに設けられる。特に、外カバー３には温熱シート８が片寄れせぬよう図６に示すようにキルティングが施される。
【００２１】
ここに、温熱シート８は遠赤外線を放射する鉱物の粉末を含有せしめた布であり、係る鉱物としてはトルマリンや貴宝石が好適に用いられる。特に、本例において、上部側の２枚の温熱シート８は、９０％以上が粒径３μｍ以下に設定されるトルマリン粒子をポリエチレンテレフタレートの融解液に適量（５〜１０重量％）混合し、その混合液を紡糸して得た繊維（１〜１０デニール）をシート化したものであるが、その基材はポリエチレンテレフタレートなどのポリエステル系に限らず、ビスコースレーヨンなどのセルロース系、ナイロンなどのポリアミド系、ポリプロピレンなどのポリオレフィン系、又はガラスなどの無機質繊維系などでもよく、更に温熱シート８として、以上のような合成繊維ほか、絹糸などの天然繊維に対し、トルマリン粒子を分散させたバインダ液を塗布するなどしてもよい。
【００２２】
尚、トルマリンは三配位のホウ素をもつシクロケイ酸塩鉱物（ＳiＯ4四面体の頂点共有による（ＳiＯ3）6六員環陰イオンをもつ鉱物）であり、その化学組成の一般式は［ＷＸ3Ｂ3Ａl3（ＡlＳi2Ｏ9）3（Ｏ，ＯＨ，Ｆ）4］（Ｗ＝Ｎa，Ｃa，Ｘ＝Ａl，Ｆe3+，Ｌi，Ｍg，Ｍn2+）で表され、代表的なものとしてはドラバイト（Ｗ，Ｘ＝Ｎa，Ｍg）、スコール（Ｗ，Ｘ＝Ｎa，Ｆe）、ウバイト（Ｗ，Ｘ＝Ｃa，Ｍg）、エルバイト（Ｗ，Ｘ＝Ｎa，Ｌi）がある。
【００２３】
特に、トルマリンは電気石とも呼ばれ、焦電性および圧電性が著しく、その圧電率は5.8×10-8esu〜1.1×10-7esu、分極電荷は3.2×10-12erg〜1.6×10-11erg程度である。
【００２４】
そして、そのようなトルマリン粒子を含んだ温熱シート８によれば、就寝者の体重や体温を受けてトルマリン粒子が遠赤外線波長域の電磁波を放射し、これによって就寝者を体の芯から温め、しかもトルマリン粒子からマイナスイオンが放射されて血行や新陳代謝が促進されるために冷え性や肩凝りを防止することができる。
【００２５】
ここで、以上のように構成されるマットレス１の作用を説明する。先ず、冬期などの低温時において、温熱シート８を配したクッション材４の表面側（柔軟性弾性体４Ａ）を上向きにして係るマットレス１を床面やベッドの台枠上に敷き、そのマットレス１上に横臥して図示せぬ掛け布団を掛ける。すると、外部の冷気は遮断され、温熱シート８には就寝者の体温と身体圧が作用する。このため、温熱シート８に含まれるトルマリン粒子から就寝者に向けて遠赤外線波長域の電磁波とマイナスイオンが放射される。この結果、就寝者の身体は芯から温められ、血行や新陳代謝も促進される。従って、寒い時期でも厚く重い掛け布団を使用せずして安眠でき、寝ながらにして冷え性や肩凝りなども改善される。又、トルマリン粒子は汗の臭いや足の蒸れた臭いの原因であるアンモニアなどの臭い成分を物理的に吸着し、又は電気的に分解して異臭を籠もらせない消臭効果を発揮する。
【００２６】
一方、夏期などの高温時にはマットレス１の表裏を上記と逆向きにし、クッション材４の裏面側（柔軟性弾性体４Ｃ）を上向きにして使用する。このとき温熱シート８に作用する就寝者の体温や身体圧はクッション材４により緩和されるので、温熱シート８から遠赤外線は殆ど発生せず、多少の発熱もクッション材４によって吸収、遮断される。よって就寝者は暑い時期でも暑苦しさを然程感じる事なく安眠できる。
【００２７】
このように、係るマットレス１は表裏両面を利用して異なる機能を発現するが、表裏何れを上向きにして使用しても、就寝者の身体はクッション材４（柔軟性弾性体４Ａ又は４Ｃ）における突起６の各頂点で支えられ、しかもクッション材４の表裏両面の間には通気空間７が形成されるので熱気や湿気が籠もらず安眠でき、寝たきりの病人でも床擦れしない。
【００２８】
以上、本考案について説明したが、本考案に係るマットレスは上記例に限らず、外カバー３や内カバー５の生地として、綿ほか絹、麻、又は合成繊維などを用いても良い。又、内カバー５を省いてクッション材４を外カバー３で直接包んでもよい。更に、クッション材４は上記例のようにその表裏両面を凹凸面とすることが好ましいが、その片側表面のみを凹凸面として差し支えない。
【図面の簡単な説明】
【００２９】
【図１】本考案に係るマットレスを展開した状態を示す斜視図
【図２】同マットレスを折り畳んだ状態を示す斜視図
【図３】同マットレスの断面概略図
【図４】マット本体の断面概略図
【図５】本考案に係るマットレスの部分拡大断面図
【図６】本考案に係るマットレスの表面側を示す斜視図
【符号の説明】
【００３０】
１  マットレス
２  マット本体
３  外カバー
４  クッション材
４Ａ，４Ｂ，４Ｃ  柔軟性弾性体
５  内カバー
６  突起
７  通気空間
８  温熱シート
【図１】
0003101719.tif 000003
【図２】
0003101719.tif 000004
【図３】
0003101719.tif 000005
【図４】
0003101719.tif 000006
【図５】
0003101719.tif 000007
【図６】
0003101719.tif 000008